(57)【特許請求の範囲】
【請求項１】
端末が端末能力情報を生成することと、
前記端末がアクセスネットワークデバイスに前記端末能力情報を送信することとを含み、
前記端末能力情報は、前記端末が異なるサブキャリア間隔を有する少なくとも２つのサブキャリアで送信及び／又は受信する信号に対する並列処理能力、及び／又は、前記端末のデータキャッシュ能力を示すために用いられ、
前記端末が端末能力情報を生成する前に、さらに、
前記端末は、前記アクセスネットワークデバイスにより送信された、常駐セルのサポートする第１の上りサブキャリア間隔及び第１の上り帯域幅、及び／又は、第１の下りサブキャリア間隔及び第１の下り帯域幅を受信することを含み、
前記端末が端末能力情報を生成することは、
前記端末が前記端末能力情報を生成することを含み、
前記端末能力情報は、第２の上りサブキャリア間隔及び第２の上り帯域幅、及び／又は、第２の下りサブキャリア間隔及び第２の下り帯域幅を含み、
前記常駐セルは、前記端末が現在に常駐するセルであり、前記第２の上りサブキャリア間隔と前記第２の上り帯域幅とは、前記第１の上りサブキャリア間隔と前記第１の上り帯域幅の部分集合であり、前記第２の下りサブキャリア間隔と前記第２の下り帯域幅とは、前記第１の下りサブキャリア間隔と前記第１の下り帯域幅の部分集合である
ことを特徴とする情報送信方法。
【請求項２】
前記端末能力情報は、
前記端末が並列送信をサポートする上りサブキャリア間隔及び上り帯域幅、
及び／又は、
前記端末が並列受信をサポートする下りサブキャリア間隔及び下り帯域幅を含み、
少なくとも２つの前記上りサブキャリア間隔が異なり、少なくとも２つの前記下りサブキャリア間隔が異なる
ことを特徴とする請求項１に記載の情報送信方法。
【請求項３】
前記端末が、前記アクセスネットワークデバイスにより送信された、常駐セルのサポートする第１の上りサブキャリア間隔及び第１の上り帯域幅、及び／又は、第１の下りサブキャリア間隔及び第１の下り帯域幅を受信することは、
前記端末が前記アクセスネットワークデバイスにより送信されたシステム情報を受信することと、
前記端末が前記システム情報内の所定のシステム情報ブロックから前記常駐セルのサポートする前記第１の上りサブキャリア間隔及び前記第１の上り帯域幅、及び／又は、前記第１の下りサブキャリア間隔及び前記第１の下り帯域幅を取得することとを含む
ことを特徴とする請求項１に記載の情報送信方法。
【請求項４】
前記端末がアクセスネットワークデバイスに前記端末能力情報を送信する前に、さらに、
前記端末が前記アクセスネットワークデバイスにより送信された端末能力問い合わせを受信することを含む
ことを特徴とする請求項１〜３のいずれか１項に記載の情報送信方法。
【請求項５】
アクセスネットワークデバイスが端末により送信された端末能力情報を受信することを含み、
前記端末能力情報は、前記端末が異なるサブキャリア間隔を有する少なくとも２つのサブキャリアで送信及び／又は受信する信号に対する並列処理能力、及び／又は、前記端末のデータキャッシュ能力を示すために用いられ、
前記アクセスネットワークデバイスが前記端末により送信された前記端末能力情報を受信する前に、さらに、
前記アクセスネットワークデバイスが前記端末に常駐セルのサポートする第１の上りサブキャリア間隔及び第１の上り帯域幅、及び／又は、第１の下りサブキャリア間隔及び第１の下り帯域幅を送信することを含み、
前記アクセスネットワークデバイスが前記端末により送信された端末能力情報を受信することは、
前記アクセスネットワークデバイスが前記端末により送信された前記端末能力情報を受信することを含み、
前記端末能力情報は、第２の上りサブキャリア間隔及び第２の上り帯域幅、及び／又は、第２の下りサブキャリア間隔及び第２の下り帯域幅を含み、
前記常駐セルは、前記端末が現在に常駐するセルであり、前記第２の上りサブキャリア間隔と前記第２の上り帯域幅とは、前記第１の上りサブキャリア間隔と前記第１の上り帯域幅の部分集合であり、前記第２の下りサブキャリア間隔と前記第２の下り帯域幅とは、前記第１の下りサブキャリア間隔と前記第１の下り帯域幅の部分集合である
ことを特徴とする情報受信方法。
【請求項６】
前記端末能力情報は、
前記端末が並列送信をサポートする上りサブキャリア間隔及び上り帯域幅、
及び／又は、
前記端末が並列受信をサポートする下りサブキャリア間隔及び下り帯域幅を含み、
少なくとも２つの前記上りサブキャリア間隔が異なり、少なくとも２つの前記下りサブキャリア間隔が異なる
ことを特徴とする請求項５に記載の情報受信方法。
【請求項７】
前記アクセスネットワークデバイスが前記端末に常駐セルのサポートする第１の上りサブキャリア間隔及び第１の上り帯域幅、及び／又は、第１の下りサブキャリア間隔及び第１の下り帯域幅を送信することは、
前記アクセスネットワークデバイスが前記端末にシステム情報を送信することを含み、
前記システム情報内の所定のシステム情報ブロックには、前記常駐セルのサポートする前記第１の上りサブキャリア間隔及び前記第１の上り帯域幅、及び／又は、前記第１の下りサブキャリア間隔及び前記第１の下り帯域幅が含まれる
ことを特徴とする請求項５に記載の情報受信方法。
【請求項８】
前記アクセスネットワークデバイスが端末により送信された端末能力情報を受信する前に、さらに、
前記アクセスネットワークデバイスが前記端末に端末能力問合せを送信することを含む
ことを特徴とする請求項５〜７のいずれか１項に記載の情報受信方法。
【請求項９】
前記アクセスネットワークデバイスが端末により送信された端末能力情報を受信した後、さらに、
前記アクセスネットワークデバイスが前記端末能力情報に応じて前記端末の上り伝送及び／又は下り伝送をスケジューリングすることを含む
ことを特徴とする請求項５〜７のいずれか１項に記載の情報受信方法。
【請求項１０】
端末能力情報を生成するように構成されるプロセッサと、
アクセスネットワークデバイスに前記端末能力情報を送信するように構成される送信機とを含み、
前記端末能力情報は、前記端末が異なるサブキャリア間隔を有する少なくとも２つのサブキャリアで送信及び／又は受信する信号に対する並列処理能力、及び／又は、前記端末のデータキャッシュ能力を示すために用いられ、
受信器をさらに含み、
前記受信器は、前記アクセスネットワークデバイスにより送信された常駐セルのサポートする第１の上りサブキャリア間隔及び第１の上り帯域幅、及び／又は、第１の下りサブキャリア間隔及び第１の下り帯域幅を受信するように構成され、
前記プロセッサは、前記端末能力情報を生成するように構成され、
前記端末能力情報は、第２の上りサブキャリア間隔及び第２の上り帯域幅、及び／又は、第２の下りサブキャリア間隔及び第２の下り帯域幅を含み、
前記常駐セルは、前記端末が現在に常駐するセルであり、前記第２の上りサブキャリア間隔と前記第２の上り帯域幅とは、前記第１の上りサブキャリア間隔と前記第１の上り帯域幅の部分集合であり、前記第２の下りサブキャリア間隔と前記第２の下り帯域幅とは、前記第１の下りサブキャリア間隔と前記第１の下り帯域幅の部分集合である
ことを特徴とする端末。
【請求項１１】
前記端末能力情報は、
前記端末が並列送信をサポートする上りサブキャリア間隔及び上り帯域幅、
及び／又は、
前記端末が並列受信をサポートする下りサブキャリア間隔及び下り帯域幅を含み、
少なくとも２つの前記上りサブキャリア間隔が異なり、少なくとも２つの前記下りサブキャリア間隔が異なる
ことを特徴とする請求項１０に記載の端末。
【請求項１２】
前記受信器は、前記アクセスネットワークデバイスにより送信されたシステム情報を受信するように構成され、
前記プロセッサは、前記システム情報内の所定のシステム情報ブロックから前記常駐セルのサポートする前記第１の上りサブキャリア間隔及び前記第１の上り帯域幅、及び／又は、前記第１の下りサブキャリア間隔及び前記第１の下り帯域幅を取得するように構成される
ことを特徴とする請求項１０に記載の端末。
【請求項１３】
受信器をさらに含み、
前記受信器は、前記アクセスネットワークデバイスにより送信された端末能力問合せを受信するように構成される
ことを特徴とする請求項１０〜１２のいずれか１項に記載の端末。
【請求項１４】
端末により送信された端末能力情報を受信するように構成される受信器を含み、
前記端末能力情報は、前記端末が異なるサブキャリア間隔を有する少なくとも２つのサブキャリアで送信及び／又は受信する信号に対する並列処理能力、及び／又は、前記端末のデータキャッシュ能力を示すために用いられ、
送信機をさらに含み、
前記送信機は、前記端末に常駐セルのサポートする第１の上りサブキャリア間隔及び第１の上り帯域幅、及び／又は、第１の下りサブキャリア間隔及び第１の下り帯域幅を送信するように構成され、
前記受信器は、前記端末により送信された前記端末能力情報を受信するように構成され、
前記端末能力情報は、第２の上りサブキャリア間隔及び第２の上り帯域幅、及び／又は、第２の下りサブキャリア間隔及び第２の下り帯域幅を含み、
前記常駐セルは、前記端末が現在に常駐するセルであり、前記第２の上りサブキャリア間隔と前記第２の上り帯域幅とは、前記第１の上りサブキャリア間隔と前記第１の上り帯域幅の部分集合であり、前記第２の下りサブキャリア間隔と前記第２の下り帯域幅とは、前記第１の下りサブキャリア間隔と前記第１の下り帯域幅の部分集合である
ことを特徴とアクセスネットワークデバイス。
【請求項１５】
前記端末能力情報は、
前記端末が並列送信をサポートする上りサブキャリア間隔及び上り帯域幅、
及び／又は、
前記端末が並列受信をサポートする下りサブキャリア間隔及び下り帯域幅を含み、
少なくとも２つの前記上りサブキャリア間隔が異なり、少なくとも２つの前記下りサブキャリア間隔が異なる
ことを特徴とする請求項１４に記載のアクセスネットワークデバイス。
【請求項１６】
前記送信機は、前記端末にシステム情報を送信するように構成され、
前記システム情報内の所定のシステム情報ブロックには、前記常駐セルのサポートする前記第１の上りサブキャリア間隔及び前記第１の上り帯域幅、及び／又は、前記第１の下りサブキャリア間隔及び前記第１の下り帯域幅が含まれる
ことを特徴とする請求項１４に記載のアクセスネットワークデバイス。
【請求項１７】
送信機をさらに含み、
前記送信機は、前記端末に端末能力問合せを送信するように構成される
ことを特徴とする請求項１４〜１６のいずれか１項に記載のアクセスネットワークデバイス。
【請求項１８】
プロセッサをさらに含み
前記プロセッサは、前記端末能力情報に応じて、前記端末の上り伝送及び／又は下り伝送をスケジューリングするように構成される
ことを特徴とする請求項１４〜１６のいずれか１項に記載のアクセスネットワークデバイス。
【請求項１９】
端末及びアクセスネットワークデバイスを含み、
前記端末は、請求項１０〜１３のいずれか１項に記載の端末であり、
前記アクセスネットワークデバイスは、請求項１４〜１８のいずれか１項に記載のアクセスネットワークデバイスである
ことを特徴とする情報送信システム。
【発明の詳細な説明】
【技術分野】
【０００１】
本発明の実施例は、通信分野に関し、特に、情報送信方法、情報受信方法、装置及びシステムに関する。
【背景技術】
【０００２】
ロング・ターム・エボリューション（ＬＴＥ：Ｌｏｎｇ  Ｔｅｒｍ  Ｅｖｏｌｕｔｉｏｎ）システムにおいて、上りリンク及び下りリンクに使用する時間周波数リソースは、周波数領域においていくつかのサブキャリアを含み、各サブキャリアのサブキャリア間隔がともに１５ｋＨＺである。
【０００３】
様々な伝送要求を満たすために、第五世帯移動通信技術（５Ｇ：ｔｈｅ  ５ｔｈ  ｇｅｎｅｒａｔｉｏｎ  ｍｏｂｉｌｅ  Ｃｏｍｍｕｎｉｃａｔｉｏｎ）に可変サブキャリア間隔（ｃｏｎｆｉｇｕｒａｂｌｅ  ｓｕｂｃａｒｒｉｅｒ  ｓｐａｃｉｎｇ）が導入されている。ここで、５Ｇシステムは新しいラジオ（ＮＲ：ｎｅｗ  ｒａｄｉｏ）システムとも言われ、可変サブキャリア間隔によって、従来の固定サブキャリア間隔を有する時間周波数リソースブロックは、異なるサブキャリア間隔を有する時間周波数リソースブロックになるように構成され、例えば、１つの周波数領域帯の域幅に対して、サブキャリア間隔が１５ｋＨＺである時間周波数リソースブロック、サブキャリア間隔が３０ｋＨＺである時間周波数リソースブロック、及びサブキャリア間隔が６０ｋＨＺである時間周波数リソースブロックに分ける。
【０００４】
アクセスネットワークデバイスが端末にデータを送信する場合、異なるサブキャリア間隔を有する少なくとも２つのサブキャリアを利用して並列伝送を行うことができ、この時、端末は、異なるサブキャリア間隔のサブキャリアにより伝送された信号への並列処理能力を有する必要がある。しかしながら、５Ｇシステムのシステム最大帯域幅及びピークレートがＬＴＥシステムよりも大きく向上されるため、端末のサポートする可能なシステム最大帯域幅及びピークレートに従って、端末のハードウェア及びソフトウェア能力を設定する場合、端末の設計コストを大幅に高くなる。そして、未来の５Ｇシステムにおいて、端末が異なるハードウェア及びソフトウェア能力を有するため、即ち、異なる端末の並列処理能力が相異する。しかしながら、ＬＴＥにおいて、上り／下り伝送のスケジューリング技術は、端末がシステム最大帯域幅及びピークレートをサポートすると仮想する場合に実施するものであるため、未来の５Ｇシステムに応用されない。
【発明の概要】
【０００５】
ＬＴＥにおいて上り／下り伝送のスケジューリング技術は、端末がシステム最大帯域幅及びピークレートをサポートすると仮想する場合に実施するものであるため、未来の５Ｇシステムに応用されないという課題を解決するために、本発明の実施例は、情報送信方法、情報受信方法、装置及びシステムを提供する。前記技術案は以下の通りである。
【０００６】
本発明の実施例の第１の形態は、情報送信方法を提供し、前記方法は、
端末が端末能力情報を生成することと、
前記端末がアクセスネットワークデバイスに前記端末能力情報を送信することとを含み、
前記端末能力情報は、前記端末が異なるサブキャリア間隔を有する少なくとも２つのサブキャリアで送信及び／又は受信する信号に対する並列処理能力、及び／又は、前記端末のデータキャッシュ能力を示すために用いられる。
【０００７】
選択可能な実施例において、前記端末能力情報は、高速フーリエ変換ＦＦＴ及び／又は高速フーリエ逆変換ＩＦＦＴの並列計算能力情報、又は、現在の余剰の高速フーリエ変換ＦＦＴ及び／又は高速フーリエ逆変換ＩＦＦＴの並列計算能力情報を含む。
【０００８】
選択可能な実施例において、前記端末能力情報は、データバッファーの大きさ、又は、現在の余剰のデータバッファーの大きさを含む。
【０００９】
選択可能な実施例において、前記端末能力情報は、前記端末が並列送信をサポートする上りサブキャリア間隔及び上り帯域幅、及び／又は、前記端末が並列受信をサポートする下りサブキャリア間隔及び下り帯域幅を含み、少なくとも２つの前記上りサブキャリア間隔が異なり、少なくとも２つの前記下りサブキャリア間隔が異なる。
【００１０】
選択可能な実施例において、前記端末が端末能力情報を生成する前に、さらに、
前記端末は、前記アクセスネットワークデバイスにより送信された、常駐セルのサポートする第１の上りサブキャリア間隔及び第１の上り帯域幅、及び／又は、第１の下りサブキャリア間隔及び第１の下り帯域幅を受信することを含み、
前記端末が端末能力情報を生成することは、
前記端末が前記端末能力情報を生成することを含み、前記端末能力情報は、第２の上りサブキャリア間隔及び第２の上り帯域幅、及び／又は、第２の下りサブキャリア間隔及び第２の下り帯域幅を含み、
前記常駐セルは、前記端末が現在に常駐するセルであり、前記第２の上りサブキャリア間隔と前記第２の上り帯域幅とは、前記第１の上りサブキャリア間隔と前記第１の上り帯域幅の部分集合であり、前記第２の下りサブキャリア間隔と前記第２の下り帯域幅とは、前記第１の下りサブキャリア間隔と前記第１の下り帯域幅の部分集合である。
【００１１】
選択可能な実施例において、前記端末が、前記アクセスネットワークデバイスにより送信された、常駐セルのサポートする第１の上りサブキャリア間隔及び第１の上り帯域幅、及び／又は、第１の下りサブキャリア間隔及び第１の下り帯域幅を受信することは、
前記端末が前記アクセスネットワークデバイスにより送信されたシステム情報を受信することと、
前記端末が前記システム情報内の所定のシステム情報ブロックから前記常駐セルのサポートする前記第１の上りサブキャリア間隔及び前記第１の上り帯域幅、及び／又は、前記第１の下りサブキャリア間隔及び前記第１の下り帯域幅を取得することとを含む。
【００１２】
選択可能な実施例において、前記端末がアクセスネットワークデバイスに前記端末能力情報を送信する前に、さらに、
前記端末が前記アクセスネットワークデバイスにより送信された端末能力問い合わせを受信することを含む。
【００１３】
本発明の実施例の第２の形態は、情報受信方法を提供し、前記方法は、
アクセスネットワークデバイスが端末により送信された端末能力情報を受信することを含み、前記端末能力情報は、前記端末が異なるサブキャリア間隔を有する少なくとも２つのサブキャリアで送信及び／又は受信する信号に対する並列処理能力、及び／又は、前記端末のデータキャッシュ能力を示すために用いられる。
【００１４】
選択可能な実施例において、前記端末能力情報は、高速フーリエ変換ＦＦＴ及び／又は高速フーリエ逆変換ＩＦＦＴの並列計算能力情報、又は、現在の余剰の高速フーリエ変換ＦＦＴ及び／又は高速フーリエ逆変換ＩＦＦＴの並列計算能力情報を含む。
【００１５】
選択可能な実施例において、前記端末能力情報は、データバッファーの大きさ、又は、現在の余剰のデータバッファーの大きさを含む。
【００１６】
選択可能な実施例において、前記端末能力情報は、
前記端末が並列送信をサポートする上りサブキャリア間隔及び上り帯域幅、
及び／又は、
前記端末が並列受信をサポートする下りサブキャリア間隔及び下り帯域幅を含み、
少なくとも２つの前記上りサブキャリア間隔が異なり、少なくとも２つの前記下りサブキャリア間隔が異なる。
【００１７】
選択可能な実施例において、前記アクセスネットワークデバイスが前記端末により送信された前記端末能力情報を受信する前に、さらに、
前記アクセスネットワークデバイスが前記端末に常駐セルのサポートする第１の上りサブキャリア間隔及び第１の上り帯域幅、及び／又は、第１の下りサブキャリア間隔及び第１の下り帯域幅を送信することを含み、
前記アクセスネットワークデバイスが前記端末により送信された端末能力情報を受信することは、
前記アクセスネットワークデバイスが前記端末により送信された前記端末能力情報を受信することを含み、
前記端末能力情報は、第２の上りサブキャリア間隔及び第２の上り帯域幅、及び／又は、第２の下りサブキャリア間隔及び第２の下り帯域幅を含み、
前記常駐セルは、前記端末が現在に常駐するセルであり、前記第２の上りサブキャリア間隔と前記第２の上り帯域幅とは、前記第１の上りサブキャリア間隔と前記第１の上り帯域幅の部分集合であり、前記第２の下りサブキャリア間隔と前記第２の下り帯域幅とは、前記第１の下りサブキャリア間隔と前記第１の下り帯域幅の部分集合である。
【００１８】
選択可能な実施例において、前記アクセスネットワークデバイスが前記端末に常駐セルのサポートする第１の上りサブキャリア間隔及び第１の上り帯域幅、及び／又は、第１の下りサブキャリア間隔及び第１の下り帯域幅を送信するこは、
前記アクセスネットワークデバイスが前記端末にシステム情報を送信することを含み、前記システム情報内の所定のシステム情報ブロックには、前記常駐セルのサポートする前記第１の上りサブキャリア間隔及び前記第１の上り帯域幅、及び／又は、前記第１の下りサブキャリア間隔及び前記第１の下り帯域幅が含まれる。
【００１９】
選択可能な実施例において、前記アクセスネットワークデバイスが端末により送信された端末能力情報を受信する前に、さらに、
前記アクセスネットワークデバイスが前記端末に端末能力問合せを送信することを含む。
【００２０】
選択可能な実施例において、前記アクセスネットワークデバイスが端末により送信された端末能力情報を受信した後、さらに、
前記アクセスネットワークデバイスが前記端末能力情報に応じて前記端末の上り伝送及び／又は下り伝送をスケジューリングすることを含む。
【００２１】
本発明の実施例の第３の形態は、信号送信装置を提供し、前記信号送信装置は、少なくとも１つのユニットを含み、当該少なくとも１つのユニットは、上記の第１の形態又は第１の形態のいずれか１つの実現方式の情報送信方法を実現する。
【００２２】
本発明の実施例の第４の形態は、信号受信装置を提供し、前記信号受信装置は、少なくとも１つのユニットを含み、当該少なくとも１つのユニットは、上記の第２の形態又は第２の形態のいずれか１つの実現方式の情報受信方法を実現する。
【００２３】
本発明の実施例の第５の形態は、端末を提供し、前記端末は、プロセッサ、メモリ、送信機及び受信器を含み、前記メモリは、１つ以上の命令を含み、前記命令は、前記プロセッサにより実行され、前記プロセッサは、上記の第１の形態又は第１の形態のいずれか１つの実現方式の情報受信方法を実現し、前記送信機は、端末能力情報の送信を実現し、前記受信器は、端末能力問合せ又はシステム情報の受信を実現する。
【００２４】
本発明の実施例の第６の形態は、アクセスネットワークデバイスを提供し、前記アクセスネットワークデバイスは、プロセッサ、メモリ、送信機及び受信器を含み、前記メモリは、１つ以上の命令を含み、前記命令は、前記プロセッサにより実行され、前記プロセッサは、上記の第２の形態又は第２の形態のいずれか１つの実現方式の信号受信方法を実現し、前記受信器は、端末能力情報の受信を実現し、前記送信機は、端末能力問合せ又はシステム情報の送信を実現する。
【００２５】
本発明の実施例の第７の形態は、コンピュータ読み取り可能な記憶媒体を提供し、前記コンピュータ読み取り可能な記憶媒体には１つ以上の命令が記憶され、前記命令は、上記の第１の形態又は第１の形態のいずれか１つの実現方式の情報送信方法を実現する。
【００２６】
本発明の実施例の第８の形態は、コンピュータ読み取り可能な記憶媒体を提供し、前記コンピュータ読み取り可能な記憶媒体には１つ以上の命令が記憶され、前記命令は、上記の第２の形態の形態又は第２の形態のいずれか１つの実現方式の情報受信方法を実現する。
【００２７】
本発明の実施例に係る技術案は、以下の技術的な効果を有する。
【００２８】
端末がアクセスネットワークデバイスに端末能力情報を報告し、アクセスネットワークデバイスは、端末が異なるサブキャリア間隔を有する少なくとも２つのサブキャリアの並列送信及び／又は受信する信号に対する処理能力を把握し、さらに、端末の実際の処理能力に応じて、端末の上り／下りの伝送をスケジューリングし、異なる端末能力に応じて、端末の上り／下り伝送を動的にスケジューリングすることができる。
【図面の簡単な説明】
【００２９】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例における移動通信システムの構成図である。
【図２】本発明の実施例における時間周波数リソースブロックの分けの模式図である。
【図３】本発明の実施例における情報送信方法の方法のフローチャートである。
【図４】本発明の他の実施例における情報送信方法の方法のフローチャートである。
【図５】本発明の他の実施例における情報送信方法の方法のフローチャートである。
【図６】本発明の他の実施例における情報送信方法の方法のフローチャートである。
【図７】本発明の他の実施例における情報送信方法の方法のフローチャートである。
【図８】本発明の他の実施例における情報送信方法の方法のフローチャートである。
【図９】本発明の他の実施例における情報送信方法の方法のフローチャートである。
【図１０】本発明の他の実施例における情報送信装置の構成のブロック図である。
【図１１】本発明の他の実施例における情報受信装置の構成のブロック図である
【図１２】本発明の他の実施例における端末の構成のブロック図である
【図１３】本発明の他の実施例におけるアクセスネットワークデバイスの構成のブロック図である。
【発明を実施するための形態】
【００３０】
本発明の目的、技術案及び利点を明らかになるために、以下、図面に基づいて本発明の実施例を詳細に説明する。
【００３１】
本明細書に記載される「モジュール」は、通常、メモリに記憶されたいくつかの機能を実現するためのプログラム又は命令であり、本明細書に記載される「ユニット」は、通常、ロジックによって分ける機能的な構成であり、ハードウェアやハードウェアとソフトウェアの組み合わせで実現する。
【００３２】
本明細書に記載される「複数」は２つの以上を意味する。「及び／又は」は、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【００３３】
図１は本発明の実施例における移動通信システムの構成図を示す。当該移動通信システムは、５Ｇシステム、即ちＮＲシステムであっても良い。当該移動通信システムは、アクセスネットワークデバイス１２０及び端末１４０を含む。
【００３４】
アクセスネットワークデバイス１２０は、基地局であっても良く、当該基地局は、受信された無線フレームとＩＰパケットメッセージとの変換を行い、また、エアインターフェースの属性の管理を協働する。例えば、基地局は、ＬＴＥにおける進化型の基地局（ｅＮＢ、ｅ−ＮｏｄｅＢ：ｅｖｏｌｕｔｉｏｎａｌ Ｎｏｄｅ Ｂ）、５Ｇシステムにおける集中分布式で構成される基地局であっても良い。アクセスネットワークデバイス１２０は、集中分布式を採用する場合、通常、集中ユニット（ＣＵ：ｃｅｎｔｒａｌ  ｕｎｉｔ）及び少なくとも２つの分布ユニット（ＤＵ：ｄｉｓｔｒｉｂｕｔｅｄ  ｕｎｉｔ）を含む。集中ユニットにデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、ＭＡＣ（Ｍｅｄｉａ  Ａｃｃｅｓｓ  Ｃｏｎｔｒｏｌ）層のロトコルスタックが設けられ、分布ユニットに物理（ＰＨＹ  Ｐｈｙｓｉｃａｌ）ロトコルスタックが設けられ、本発明の実施例は、アクセスネットワークデバイス１２０の実現方式を限定しない。
【００３５】
アクセスネットワークデバイス１２０と端末１４０とは、無線エアインターフェースを介して接続を確立する。選択可能で、当該無線エアインターフェースは、第５世帯移動通信ネットワーク技術（５Ｇ）プロトコルに基づく無線エアインターフェースであり、例えば、当該無線エアインターフェースは、新しいラジオ（ＮＲ：Ｎｅｗ  Ｒａｄｉｏ）、又は５Ｇの次世帯移動通信ネットワーク技術に基づく無線エアインターフェースである。
【００３６】
端末１４０は、ユーザーに音声及び／又はデータサービスを提供するデバイスであってもよい。端末は、無線アクセスネットワーク（ＲＡＮ：Ｒａｄｉｏ  Ａｃｃｅｓｓ  Ｎｅｔｗｏｒｋ）を介して１つ以上のコアネットワークと通信することができる。端末１４０移動電話（「セルラ」電話とも言われる）、移動端末を備えるコンピューターであっても良いし、携帯型、ポケット型、ハンドヘルド型、コンピュータ内蔵又は車載の移動装置であってもよい。例えば、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動台（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ装置（Ｕｓｅｒ  Ｅｑｕｉｐｍｅｎｔ）を挙げる
なお、図１に示す移動通信システムにおいて、複数のアクセスネットワークデバイス１２０及び／又は複数の端末１４０を含むことができ、図１は、１つのアクセスネットワークデバイス１２０及び１つの端末１４０を示しているが、この実施例はこれに限定しない。
【００３７】
５Ｇシステムに可変サブキャリア間隔及び可変伝送時間間隔（ＴＴＩ：Ｔｒａｎｓｍｉｓｓｉｏｎ  Ｔｉｍｅ  Ｉｎｔｅｒｖａｌ）が導入され、ＬＴＥシステムに使用する大きさが同じである時間周波数リソースブロックと相違し、５Ｇシステムにおいて、大きさが相異する時間周波数リソースブロックが応用されることができる。図２は、本発明の実施例における時間周波数リソースブロックの分けの模式図である。図２の横軸は時間領域（ｔｉｍｅ）であり、縦軸が周波数領域（ｆｒｅｑｕｅｎｃｙ）である。
【００３８】
周波数領域において、時間周波数リソースブロック２０は、サブキャリア間隔によって分け、例えば、サブキャリア間隔が１５ｋＨＺ、３０ｋＨＺ、６０ｋＨＺ、１２０ｋＨＺ、２４０ｋＨＺ等である。選択可能で、小さいサブキャリア間隔を採用するサブキャリアは、大規模なモノのインターネット（ｍＭＴＣ：ｍａｓｓｉｖｅ  Ｍａｃｈｉｎｅ  Ｔｙｐｅ  Ｃｏｍｍｕｎｉｃａｔｉｏｎ）サービス及び拡張モバイルブロードバンド（ｅＭＢＢ：Ｅｎｈａｎｃｅｄ  Ｍｏｂｉｌｅ  Ｂｒｏａｄｂａｎｄ）サービスに応用され、中等のサブキャリア間隔を採用するサブキャリアは、超高信頼かつ低遅延通信（ｕＲＬＬＣ：ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）サービスに応用され、大きいサブキャリア間隔を採用するサブキャリアは、ハイバンドに割り当てるサービス、例えばブロードキャスト（Ｂｒｏａｄｃａｓｔ）サービス及び拡張モバイルブロードバンド（ｅＭＢＢ：Ｅｎｈａｎｃｅｄ  Ｍｏｂｉｌｅ  Ｂｒｏａｄｂａｎｄ）に応用される。
【００３９】
時間領域において、時間周波数リソースブロック２０は、ＴＴＩによって分ける。選択可能で、ＴＴＩが１ｍｓ、０．５ｍｓ、０．０６ｍｓ等である。各ＴＴＩは、シンボル（ｓｙｍｂｏｌ）、シンボルグループ（ｓｙｍｂｏｌ  ｇｒｏｕｐ）、スロット(ｓｌｏｔ）又はサブフレーム(ｓｕｂｆｒａｍｅ)によって分け、例えば、１つのＴＴＩを２つのスロットに分け、１つのＴＴＩを１４つのシンボルに分け、さらに、１つのＴＴＩを４つのシンボル、３つのシンボル、又は２つのシンボル等に分ける。
【００４０】
アクセスネットワーク端末１２０は、下りリンクで端末１４０に下りデータを送信する場合、異なるサブキャリア間隔を有する少なくとも２つのサブキャリアで下りデータを並列送信し、端末１４０は、上りリンクでアクセスネットワーク端末１２０に上りデータを送信する場合、異なるサブキャリア間隔を有する少なくとも２つのサブキャリアで上りデータを並列送信する。
【００４１】
図３は本発明の実施例における情報送信方法のフローチャートを示す。この実施例は、当該情報送信方法が図１に示す移動通信システムに応用されて説明する。当該方法は、ステップ３０１〜ステップ３０３を含む。
【００４２】
ステップ３０１において、端末が端末能力情報（ＵＥ  Ｃａｐａｂｉｌｉｔｙ  Ｉｎｆｏｒｍａｔｉｏｎ）を生成し、端末能力情報は、端末が異なるサブキャリア間隔を有する少なくとも２つのサブキャリアで送信及び／又は受信する信号に対する並列処理能力、及び／又は、端末のデータキャッシュ能力を示すために用いられる。
【００４３】
異なるサブキャリア間隔を有する少なくとも２つのサブキャリアで信号を送信及び／又は受信する場合、端末は、以下の２つの実現方式を採用する。
【００４４】
第１の方式として、異なるサブキャリア間隔を有する少なくとも２つのサブキャリアで送信及び／又は受信する信号に対し並列処理を行う。
【００４５】
端末に複数の逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ、）ユニット及び／又は高速フーリエ変換（ＦＦＴ：Ｆａｓｔ  Ｆｏｕｒｉｅｒ  Ｔｒａｎｓｆｏｒｍ）ユニットが設けられる。
【００４６】
端末は、異なるサブキャリア間隔を有する少なくとも２つのサブキャリアで上りデータを並列送信する場合、複数のＩＦＦＴユニットを使用して並列変調を行い、異なるサブキャリア間隔を有する少なくとも２つのサブキャリアで下りデータを並列受信する場合、複数のＦＦＴユニットを使用して並列復調を行う。
【００４７】
ＩＦＦＴユニット及び／又はＦＦＴユニットは、ソフトウェアにより実現されても良いし、ハードウェア回路により実現されても良い。ＩＦＦＴユニット及び／又はＦＦＴユニットがソフトウェアにより実現される場合、端末内のＩＦＦＴユニット及び／又はＦＦＴユニットの数量及び計算能力は、動的なものであり、ＩＦＦＴユニット及び／又はＦＦＴユニットがハードウェアにより実現される場合、端末内のＩＦＦＴユニット及び／又はＦＦＴユニットの数量及び計算能力は、固定されたものである。
【００４８】
選択可能で、端末は、自分の並列計算能力に応じて、端末能力情報を生成する。
【００４９】
第２の方式として、異なるサブキャリア間隔を有する少なくとも２つのサブキャリアで送信及び／又は受信する信号をキャッシュした後、順次処理する。
【００５０】
端末にデータバッファー（ｓｏｆｔ  ｂｕｆｆｅｒ）が設けられ、端末は、異なるサブキャリア間隔を有する少なくとも２つのサブキャリアで並列送信した下りデータを受信する場合、少なくとも２つの下りデータをデータバッファにキャッシュし、順次方式で復調を行い、又は、送信すべき少なくとも２つの上りデータをデータバッファにキャッシュし、順次方式で変調を行った後、異なるサブキャリア間隔を有する少なくとも２つのサブキャリアでアクセスネットワークデバイスに並列送信する。
【００５１】
選択可能で、端末は、自分のデータキャッシュ能力に応じて、端末能力情報を生成する。当該データキャッシュ能力は、端末が異なるサブキャリア間隔を有する少なくとも２つのサブキャリアで送信及び／又は受信する信号に対するキャッシュ能力である。
【００５２】
ステップ３０２において、端末は、アクセスネットワークデバイスに端末能力情報を送信する。
【００５３】
選択可能で、端末は、所定のタイミングにアクセスネットワークデバイスに端末能力情報を主動に送信する。たとえな、一回目のアタッチ（ａｔｔａｃｈ）においてアクセスネットワークデバイスに端末能力情報を主動に報告し、また、例えば、端末は、ソフトウェアにより実現されるＦＦＴユニットの個数が多く又は少なくなる場合、アクセスネットワークデバイスに端末能力情報を主動に報告する。
【００５４】
選択可能で、端末は、アクセスネットワークデバイスからの端末能力問合せ（ＵＥ  Ｃａｐａｂｉｌｉｔｙ  Ｅｎｑｕｉｒｙ）を受信した後、アクセスネットワークデバイスに端末能力情報を送信する。例えば、アタッチ又はトラッキングエリアの更新（ＴＡＵ：Ｔｒａｃｋｉｎｇ  Ａｒｅａ  Ｕｐｄａｔｅ）において、アクセスネットワークデバイスが端末に端末能力問合せを送信し、端末がアクセスネットワークデバイスに端末能力情報を報告する。
【００５５】
ステップ３０３において、アクセスネットワークデバイスが端末により送信された端末能力情報を受信する。
【００５６】
選択可能で、アクセスネットワークデバイスは、端末能力情報に応じて、端末の上り／下り伝送をスケジューリングする。
【００５７】
選択可能で、アクセスネットワークデバイスは、端末能力情報に示す能力範囲において、端末の上り／下り伝送をスケジューリングする。選択可能で、当該上り伝送及び／又は下り伝送は、異なるサブキャリア間隔を有する少なくとも２つのサブキャリアを利用して実現する並列伝送である。
【００５８】
以上のように、この実施例における情報送信方法は、端末がアクセスネットワークデバイスに端末能力情報を報告し、アクセスネットワークデバイスは、端末が異なるサブキャリア間隔を有する少なくとも２つのサブキャリアで並列送信及び／又は受信する信号に対する処理能力を把握し、さらに、端末の実際の処理能力に応じて、端末の上り／下り伝送をスケジューリングし、異なる端末能力に応じて、端末の上り下り伝送を動的にスケジューリングすることができる。
【００５９】
端末が異なるサブキャリアを有する少なくとも２つのサブキャリアで送信及び／又は受信する信号に対する処理能力を判断する場合、端末能力情報は、以下の３つの方式で示す。以下の実施例において、図４の実施例で第１の方式を示し、図５の実施例で第２の方式を示し、図６の実施例で第３の方式を示す。
【００６０】
図４は本発明の他の実施例における情報送信方法のフローチャートを示す。この実施例は、当該情報送信方法が図１に示す移動通信システムに応用されて説明する。当該方法は、ステップ４０１〜ステップ４０６を含む。
【００６１】
ステップ４０１において、アクセスネットワークデバイスは、端末に端末能力問合せを送信する。
【００６２】
選択可能で、端末がアタッチ又はＴＡＵの過程において、アクセスネットワークデバイスは、無線リソース制御（ＲＲＣ：Ｒａｄｉｏ  Ｒｅｓｏｕｒｃｅ  Ｃｏｎｔｒｏｌ）シグナリング又はメディアアクセス制御（ＭＡＣ：Ｍｅｄｉｕｍ Ａｃｃｅｓｓ Ｃｏｎｔｒｏｌ）シグナリングで端末に端末能力問合せを送信する。
【００６３】
選択可能で、アクセスネットワークデバイスは、上りスケジューリング又は下りスケジューリングの前に、ＲＲＣシグナリング又はＭＡＣシグナリングで端末に端末能力問合せを送信する。
【００６４】
ステップ４０２において、端末は、アクセスネットワークデバイスからの端末能力問合せを受信する。
【００６５】
この実施例は、アクセスネットワークデバイスが端末に端末能力問合せを送信するタイミングを限定しない。また、端末がアクセスネットワーク端末に端末能力情報を主動に報告する場合、ステップ４０１〜ステップ４０２を省略する。
【００６６】
ステップ４０３において、端末が端末能力情報を生成し、端末能力情報は、ＦＦＴ及び／又はＩＦＦＴの並列計算能力情報を含む。
【００６７】
複数のサブキャリアに搬送される信号に対し、直交周波数分割多重技術（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）技術を使用する必要があり、ＯＦＤＭの並列処理能力は、ＦＦＴ及び／又はＩＦＦＴの計算能力に依存する。そして、端末は、ＦＦＴユニット及び／又はＩＦＦＴユニットの並列計算能力情報でサブキャリアに搬送される信号に対する自分の処理能力を示すことができる。
【００６８】
選択可能で、ＦＦＴユニット及び／又はＩＦＦＴユニットの並列計算能力は、ユニット個数及び各ユニットの変換ポイント数で示す。例えば、端末に４つのＦＦＴユニットが設けられ、各ＦＦＴユニットが１０２４個のポイント数の離散フーリエ変換を計算する場合、（４，１０２４）に従って端末能力情報を生成し、また、例えば、端末に２つのＩＦＦＴユニットが設けられ、各ＩＦＦＴユニットが２０４８個のポイント数の離散逆フーリエ変換を計算する場合、（２，２０４８）に従って端末能力情報を生成する。
【００６９】
選択可能で、この実施例において「ユニット個数及び各ユニットの変換ポイント数」は、端末内のすべてのＦＦＴユニットのユニット個数及び各ＦＦＴユニットの変換ポイント数、及び／又は、端末内のすべてのＩＦＦＴユニットのユニット個数及び各ＩＦＦＴユニットの変換ポイント数を示す。
【００７０】
ステップ４０４において、端末は、アクセスネットワークデバイスに端末能力情報を送信する。
【００７１】
選択可能で、端末は、ＲＲＣシグナリング又はＭＡＣシグナリングでアクセスネットワークデバイスに端末能力情報を送信する。
【００７２】
ステップ４０５において、アクセスネットワークデバイスは、端末により送信された端末能力情報を受信する。
【００７３】
選択可能で、アクセスネットワークデバイスは、ＲＲＣシグナリング又はＭＡＣシグナリングで端末能力情報を受信する。
【００７４】
ステップ４０６において、アクセスネットワークデバイスは、端末能力情報に応じて、端末の上り伝送及び／又は下り伝送をスケジューリングする。
【００７５】
例えば、端末能力情報は、端末に４つのＦＦＴユニットが設けられ、各ＦＦＴユニットが１０２４個のポイントの離散フーリエ変換を計算することを示す場合、アクセスネットワークデバイスは、端末に異なるサブキャリア間隔を有する多くても４つのサブキャリアをスケジューリングして下りデータの受信に使用し、且つ、各サブキャリアに搬送される下りデータは、１０２４個のポイントのＦＦＴユニットの計算能力を超えない。
【００７６】
また、例えば、端末能力情報は、端末に２つのＩＦＦＴユニットが設けられ、各ＩＦＦＴユニットが２０４８個のポイントの離散逆フーリエ変換を計算することを示す場合、アクセスネットワークデバイスは、端末に異なるサブキャリア間隔を有する多くても２つのサブキャリアをスケジューリングして上りデータの送信に使用し、且つ、各サブキャリアに搬送される上りデータは、２０４８個のポイントのＩＦＦＴユニットの計算能力を超えない。
【００７７】
以上のように、この実施例における情報送信方法は、ＦＦＴユニット及び／又はＩＦＦＴユニットのユニット個数及び各ユニットの変換ポイント数を利用して、端末が異なるサブキャリア間隔を有するサブキャリアに搬送される信号に対する並列処理能力を示すことで、アクセスネットワークデバイスは、端末が異なるサブキャリア間隔を有する少なくとも２つのサブキャリアで並列送信及び／又は受信する信号に対する処理能力を把握し、さらに、端末の実際の処理能力に応じて、端末の上り／下り伝送をスケジューリングし、異なる端末能力に応じて、端末の上り下り伝送を動的にスケジューリングすることができる。
【００７８】
図４の選択可能な実施例において、端末が上りデータを送信し一部のＩＦＦＴユニットが占用され、又は、端末が下りデータを受信し一部のＦＦＴユニットが占用される場合、この時、端末は、現在の余剰のＦＦＴユニット及び／又はＩＦＦＴユニットの並列計算能力に応じて、端末能力情報を生成し、上記のステップ４０３は、ステップ４０３ａに切替されて実現され、図５に示すように、
ステップ４０３ａにおいて、端末が端末能力情報を生成し、端末能力情報は、現在の余剰のＦＦＴ及び／又はＩＦＦＴの並列計算能力情報を含む。
【００７９】
選択可能で、現在の余剰のＦＦＴユニット及び／又はＩＦＦＴユニットの並列計算能力は、ユニット個数及び各ユニットの変換ポイント数で示す。例えば、端末に４つのＦＦＴユニットが設けられ、各ＦＦＴユニットが１０２４個のポイントの離散フーリエ変換を計算し、２つのＦＦＴユニットが占用される場合、端末は、（４−２＝２、１０２４）に応じて、端末能力情報を生成する。
【００８０】
また、例えば、端末に２つのＩＦＦＴユニットが設けられ、各ＩＦＦＴユニットは２０４８個のポイントの離散逆フーリエ変換を計算し、１つのＩＦＦＴユニットが占用される場合、端末は、（１、２０４８）に応じて、端末能力情報を生成する。
【００８１】
選択可能で、現在の余剰のＦＦＴユニットのユニット個数＝すべてのＦＦＴユニットのユニット個数−占用されるＦＦＴユニット個数であり、現在の余剰のＩＦＦＴユニットのユニット個数＝すべてのＩＦＦＴユニットのユニット個数−占用されるＩＦＦＴユニット個数である。
【００８２】
例えば、アクセスネットワークデバイスは、端末に第１のサブキャリア及び第２のサブキャリアでスケジューリングして下りデータの受信に使用し、さらに、端末に第３のサブキャリアをスケジューリングして下りデータの受信に使用する必要がある場合、端末の現在の余剰のＦＦＴユニットのユニット個数及び変換ポイント数を問合せ、端末の現在の余剰のＦＦＴユニットのユニット個数及び変換ポイント数に応じて、端末の下り伝送をスケジューリングする。
【００８３】
なお、アクセスネットワークデバイスは、現在の余剰の並列計算能力を端末に問い合わせる場合、端末能力問合せを端末に送信し、当該端末能力問合せがステップ４０１の端末能力問合せと同じでもよいし、ステップ４０１の端末能力問合せと相違しても良く、本発明の実施例はこれを限定しない。
【００８４】
図６は本発明の他の実施例における情報送信方法のフローチャートを示す。この実施例は、当該情報送信方法が図１に示す移動通信システムに応用されて説明する。当該方法は、ステップ６０１〜ステップ６０６を含む。
【００８５】
ステップ６０１において、アクセスネットワークデバイスは、端末に端末能力問合せを送信する。
【００８６】
選択可能で、端末がアタッチ又はＴＡＵを行う過程において、アクセスネットワークデバイスは、無線リソース制御ＲＲＣシグナリング又はメディアアクセス制御ＭＡＣシグナリングで端末に端末能力問合せを送信する。
【００８７】
選択可能で、アクセスネットワークデバイスは、上りスケジューリング又は下りスケジューリングの前に、ＲＲＣシグナリング又はＭＡＣシグナリングで端末に端末能力問合せを送信する。
【００８８】
ステップ６０２において、端末は、アクセスネットワークデバイスからの端末能力問合せを受信する。
【００８９】
この実施例は、アクセスネットワークデバイスが端末に端末能力問合せを送信するタイミングを限定しない。また、端末がアクセスネットワーク端末に端末能力情報を主動に報告する場合、ステップ６０１〜ステップ６０２を省略する。
【００９０】
ステップ６０３において、端末が端末能力情報を生成し、端末能力情報は、データキャッシュ能力情報を含む。
【００９１】
選択可能で、端末にデータバッファーが設けられ、当該データバッファーは、異なるサブキャリア間隔を有する少なくとも２つのサブキャリアで搬送される信号をキャッシュする。当該データバッファーが大きい場合、端末は、複数の上りデータをキャッシュし、順次方式で複数の上りデータを処理し、又は、端末は、並列受信した複数の下りデータをキャッシュし、順次方式で下りデータを処理する。
【００９２】
選択可能で、データキャッシュ能力は、データバッファーの大きさ、例えば：ＸＸビット（ｂｉｔ）で示す。
【００９３】
ステップ６０４において、端末は、アクセスネットワークデバイスに端末能力情報を送信する。
【００９４】
選択可能で、端末は、ＲＲＣシグナリング又はＭＡＣシグナリングでアクセスネットワークデバイスに端末能力情報を送信する。
【００９５】
ステップ６０５において、アクセスネットワークデバイスは、端末からの端末能力情報を受信する。
【００９６】
選択可能で、アクセスネットワークデバイスは、ＲＲＣシグナリング又はＭＡＣシグナリングで端末能力情報を受信する。
【００９７】
ステップ６０６において、アクセスネットワークデバイスは、端末能力情報に応じて、端末の上り伝送及び／又は下り伝送をスケジューリングする。
【００９８】
例えば、端末能力情報は、端末のデータキャッシュ能力が４＊Ｘビットであることを示す場合、アクセスネットワークデバイスは、異なるサブキャリア間隔を有する多くても４つのサブキャリアを端末にスケジューリングして下りデータの受信に使用する。
【００９９】
例えば、端末能力情報は、端末のデータキャッシュ能力が２＊Ｘビットである場合、アクセスネットワークデバイスは、異なるサブキャリア間隔を有する多くても４つのサブキャリアを端末にスケジューリングして上りデータを同時送信する。
【０１００】
以上のように、この実施例における情報送信方法は、データバッファーの大きさを使用して、端末が異なるサブキャリア間隔を有するサブキャリアに搬送される信号に対する処理能力を示すことで、アクセスネットワークデバイスは、端末が異なるサブキャリア間隔を有する少なくとも２つのサブキャリアで並列送信及び／又は受信する信号に対する処理能力を把握し、さらに、端末の実際の処理能力に応じて、端末の上り／下り伝送をスケジューリングし、異なる端末能力に応じて、端末の上り下り伝送を動的にスケジューリングすることができる。
【０１０１】
図６の選択可能な実施例において、端末が上りデータを送信し一部のデータバッファーが占用され、又は、端末が下りデータを受信し一部のデータバッファーが占用される状態になり、この時、端末は、現在の余剰のデータキャッシュ用スペースに応じて、端末能力情報を生成し、上記のステップ６０３は、ステップ６０３ａに切替されて実現され、図７に示すように、
ステップ６０３ａにおいて、端末が端末能力情報を生成し、端末能力情報は、現在の余剰のデータバッファーの大きさを含む。
【０１０２】
選択可能で、現在の余剰のデータバッファーの大きさは、ビットで示す。例えば、端末に４＊Ａビットのデータバッファーが設けられ、１＊Ａビットのデータバッファーが占用される場合、端末が３＊Ａビットに応じて端末能力情報を生成する。
【０１０３】
選択可能で、現在の余剰のデータバッファーの大きさ＝すべてのデータバッファーの大きさ−占用されるデータバッファーの大きさである。
【０１０４】
例えば、アクセスネットワークデバイスは、端末に第１のサブキャリア及び第２のサブキャリアをスケジューリングして下りデータの受信に使用し、さらに、端末に第３のサブキャリアをスケジューリングして下りデータの受信に使用する場合、端末の現在の余剰のデータバッファーの大きさを問合せ、端末の現在の余剰のデータバッファーの大きさに応じて、端末の下り伝送をスケジューリングする。
【０１０５】
なお、アクセスネットワークデバイスは、端末に現在の余剰のデータキャッシュ能力を問い合わせる場合、端末に端末能力問合せを送信し、当該端末能力問合せがステップ６０１の端末能力問合せと同じでもよいし、ステップ６０１の端末能力問合せと相違しても良く、本発明の実施例はこれを限定しない。
【０１０６】
図４及び図５の実施例との相違点は、端末は、端末のサポートするサブキャリア間隔及び帯域幅で、複数のサブキャリアに搬送される信号に対する並列処理能力を示すことができる。そして、図８の実施例を参照する。
【０１０７】
図８は本発明の実施例における情報送信方法のフローチャートを示す。この実施例は、当該情報送信方法が図１に示す移動通信システムに応用されて説明する。当該方法は、ステップ８０１〜ステップ８０３を含む。
【０１０８】
ステップ８０１において、端末が端末能力情報を生成し、端末能力情報は、端末の並列送信をサポートする上りサブキャリア間隔及び上り帯域幅を含み、及び／又は、端末の並列受信をサポートする下りサブキャリア間隔及び下り帯域幅を含み、少なくとも２つの上りサブキャリア間隔が異なり、少なくとも２つの下りサブキャリア間隔が異なる。
【０１０９】
選択可能で、端末によって、サポートするサブキャリア間隔帯域幅は異なる。端末が自分のサポートするサブキャリア間隔及び帯域幅を含み、少なくとも２つのサブキャリア間隔が異なる。ここで、端末がサポートする上り帯域幅とＩＦＦＴの変換ポイント数とは、正の相関関係となり、端末がサポートする下り帯域幅とＦＦＴの変換ポイント数とは、正の相関関係となる。表１は端末がサポートするサブキャリア間隔及び帯域幅を示す。
【表１】
0006931060.tif 000002
【０１１０】
選択可能で、サブキャリア間隔は、１５ｋＨＺの２のＮ乗倍であり、例えば、１５ｋＨＺ、３０ｋＨＺ、６０ｋＨＺ、１２０ｋＨＺ、２４０ｋＨＺ等のである。
【０１１１】
ステップ８０２において、端末は、アクセスネットワークデバイスに端末能力情報を送信する。
【０１１２】
選択可能で、端末は、所定のタイミングにアクセスネットワークデバイスに端末能力情報を主動に送信する。例えば、一回目のアタッチ（ａｔｔａｃｈ）においてアクセスネットワークデバイスに端末能力情報を主動に報告する。
【０１１３】
選択可能で、端末は、アクセスネットワークデバイスからの端末能力問合せを受信した後、アクセスネットワークデバイスに端末能力情報を送信する。例えば、アタッチ又はＴＡＵにおいて、アクセスネットワークデバイスが端末に端末能力問合せを送信し、端末がアクセスネットワークデバイスに端末能力情報を報告する。
【０１１４】
ステップ８０３において、アクセスネットワークデバイスが端末により送信された端末能力情報を受信する。
【０１１５】
選択可能で、アクセスネットワークデバイスは、端末能力情報に応じて、端末の上り伝送及び／又は下り伝送をスケジューリングする。アクセスネットワークデバイスは、端末のサポートする上りサブキャリア間隔及び上り帯域幅に応じて、端末の上り伝送をスケジューリングし、端末のサポートする下りサブキャリア間隔及び下り帯域幅に応じて、端末の下り伝送をスケジューリングする。
【０１１６】
選択可能で、アクセスネットワークデバイスは、端末能力情報に示す能力範囲において、端末の上り／下り伝送をスケジューリングする。選択可能で、当該上り伝送及び／又は下り伝送は、異なるサブキャリア間隔を有する少なくとも２つのサブキャリアを利用して実現する並列伝送である。
【０１１７】
以上のように、この実施例における情報送信方法は、端末のサポートするサブキャリア間隔及び帯域幅を利用して端末が異なるサブキャリア間隔を有するサブキャリアに搬送される信号に対する並列処理能力を示すことで、アクセスネットワークデバイスは、端末のサポートするサブキャリア間隔及び帯域幅を把握し、さらに、端末のサポートするサブキャリア間隔及び帯域幅に応じて、端末の上り／下り伝送をスケジューリングして、異なる端末能力に応じて、端末の上り／下り伝送を動的にスケジューリングすることができる。
【０１１８】
図９は本発明の実施例における情報送信方法のフローチャートを示す。この実施例は、当該情報送信方法が図１に示す移動通信システムに応用されて説明する。図８の実施例として、当該方法は、ステップ９０１〜ステップ９０８を含む。
【０１１９】
ステップ９０１において、アクセスネットワークデバイスは、常駐セルのサポートする第１の上りサブキャリア間隔及び第１の上り帯域幅、及び／又は、第１の下りサブキャリア間隔及び第１の下り帯域幅を端末に送信する。
【０１２０】
選択可能で、セルは、端末が現在に常駐しているセルである。５Ｇシステムにおいて、端末が常駐するセルは、１個よりも多い可能性がある。
【０１２１】
アクセスネットワークデバイスには、各セルのサポートする第１の上りサブキャリア間隔及び第１の上り帯域幅、及び第１の下りサブキャリア間隔及び第１の下り帯域幅が記憶される。
【０１２２】
選択可能で、アクセスネットワークデバイスは、システム情報を介して、常駐セルのサポートする第１の上りサブキャリア間隔及び第１の上り帯域幅、及び／又は第１の下りサブキャリア間隔及び第１の下り帯域幅を端末に送信する。当該システム情報には複数のシステム情報ブロック(ＳＩＢ：Ｓｙｓｔｅｍ  Ｉｎｆｏｒｍａｔｉｏｎ  Ｂｌｏｃｋ)が含まれる場合、アクセスネットワークデバイスは、所定のシステム情報ブロックに送信常駐セルのサポートするサブキャリア間隔及び帯域幅を付ける。
【０１２３】
選択可能で、アクセスネットワークデバイスは、ブロードキャストチャネル（ＢＣＨ：Ｂｒｏａｄｃａｓｔ  Ｃｈａｎｎｅｌ）で常駐セルのサポートするサブキャリア間隔及び帯域幅を送信する。又は、アクセスネットワークデバイスは、ビームステアリング方式で、常駐セルのサポートするサブキャリア間隔及び帯域幅を端末に送信し、この実施例はこれを限定しない。選択可能で、アクセスネットワークデバイスは、他のシステム情報（ｏｔｈｅｒ  ＳＩ）方式で、常駐セルのサポートする第１の上りサブキャリア間隔及び第１の上り帯域幅、及び／又は第１の下りサブキャリア間隔及び第１の下り帯域幅を端末に送信しても良い。
【０１２４】
アクセスネットワークデバイスにより送信された第１の上りサブキャリア間隔及び第１の上り帯域幅、及び第１の下りサブキャリア間隔及び第１の下り帯域幅は、表１に示す。
【０１２５】
ステップ９０２において、端末は、アクセスネットワークデバイスからの常駐セルのサポートする第１の上りサブキャリア間隔及び第１の上り帯域幅、及び／又は、第１の下りサブキャリア間隔及び第１の下り帯域幅を受信する。
【０１２６】
選択可能で、端末は、アクセスネットワークデバイスからのシステム情報を受信し、システム情報内の所定のシステム情報ブロックから常駐セルのサポートする第１の上りサブキャリア間隔及び第１の上り帯域幅、及び／又は、第１の下りサブキャリア間隔及び第１の下り帯域幅を取得する。
【０１２７】
ステップ９０３において、アクセスネットワークデバイスは、端末能力問合せを端末に送信する。
【０１２８】
選択可能で、端末のアタッチ又はＴＡＵにおいて、アクセスネットワークデバイスは、ＲＲＣシグナリング又はＭＡＣシグナリングで端末能力問合せを端末に送信する。
【０１２９】
選択可能で、アクセスネットワークデバイスは、上りスケジューリング又は下りスケジューリングの前に、ＲＲＣシグナリング又はＭＡＣシグナリングで端末能力問合せを端末に送信する。
【０１３０】
ステップ９０４において、端末は、アクセスネットワークデバイスからの端末能力問合せを受信する。
【０１３１】
この実施例は、アクセスネットワークデバイスの端末への端末能力問合せの送信タイミングを限定しない。また、端末がアクセスネットワークデバイスに端末能力情報を主動に報告する場合、ステップ９０３〜ステップ９０４を省略する。
【０１３２】
ステップ９０５において、端末が端末能力情報を生成し、端末能力情報は、第２の上りサブキャリア間隔及び第２の上り帯域幅、及び／又は、第２の下りサブキャリア間隔及び第２の下り帯域幅を含む。
【０１３３】
端末は、常駐セルのサポートする第１の上りサブキャリア間隔及び第１の上り帯域幅を受信した場合、第１の上りサブキャリア間隔及び第１の上り帯域幅の組合せから、端末のサポートする第２の上りサブキャリア間隔及び第２の上り帯域幅を選択し、即ち、第２の上りサブキャリア間隔及び第２の上り帯域幅の組合せは、第１の上りサブキャリア間隔及び第１の上り帯域幅の組合せの一部である。
【０１３４】
端末は、常駐セルのサポートする第１の下りサブキャリア間隔及び第１の下り帯域幅を受信した場合、第１の下りサブキャリア間隔及び第１の下り帯域幅の組合せから、端末のサポートする第２の下りサブキャリア間隔及び第２の下り帯域幅を選択し、即ち、第２の下りサブキャリア間隔及び第２の下り帯域幅の組合せは、第１の下りサブキャリア間隔及び第１の下り帯域幅の組合せの一部である。
【０１３５】
端末が選択した第２の上りサブキャリア間隔及び第２の上り帯域幅と、第２の下りサブキャリア間隔及び第２の下り帯域幅とは、以下の表２に示す。
【表２】
0006931060.tif 000003
【０１３６】
ここで、第２の上りサブキャリア間隔及び第２の上り帯域幅は、第１の上りサブキャリア間隔及び第１の上り帯域幅の部分集合であり、第２の下りサブキャリア間隔及び第２の下り帯域幅は、第１の下りサブキャリア間隔及び第１の下り帯域幅の部分集合である。
【０１３７】
ステップ９０６において、端末は、アクセスネットワークデバイスに端末能力情報を送信する。
【０１３８】
選択可能で、端末は、ＲＲＣシグナリング又はＭＡＣシグナリングで、アクセスネットワークデバイスに端末能力情報を送信する。
【０１３９】
ステップ９０７において、アクセスネットワークデバイスは、端末により送信された端末能力情報を受信する。
【０１４０】
選択可能で、アクセスネットワークデバイスは、ＲＲＣシグナリング又はＭＡＣシグナリングで端末能力情報を受信する。
【０１４１】
ステップ９０８において、アクセスネットワークデバイスは、端末能力情報に応じて、端末の上り伝送及び／又は下り伝送をスケジューリングする。
【０１４２】
アクセスネットワークデバイスは、端末のサポートする第２の上りサブキャリア間隔及び第２の上り帯域幅を受信した後、端末のサポートする第２の上りサブキャリア間隔及び第２の上り帯域幅において端末の上り伝送をスケジューリングし、端末のサポートする第２の下りサブキャリア間隔及び第２の下り帯域幅を受信した後、端末のサポートする第２の下りサブキャリア間隔及び第２の下り帯域幅において端末の下り伝送をスケジューリングする。
【０１４３】
以上のように、この実施例における情報送信方法は、端末のサポートするサブキャリア間隔及び帯域幅を使用して端末が異なるサブキャリア間隔を有するサブキャリアに搬送される信号に対する並列処理能力を示すことで、アクセスネットワークデバイスは、端末がサポートするサブキャリア間隔及び帯域幅を把握し、さらに、端末のサポートするサブキャリア間隔及び帯域幅応じて、端末の上り／下り伝送をスケジューリングして、アクセスネットワークデバイスは、異なる端末能力に応じて、端末の上り下り伝送を動的にスケジューリングすることができる
この実施例は、アクセスネットワークデバイスが常駐セルのサポートする１のサブキャリア間隔及び第１の帯域幅を端末にブロードキャストし、端末が第１のサブキャリア間隔及び第１の帯域幅から第２のサブキャリア間隔及び第２の帯域幅を選択し、第２のサブキャリア間隔及び第２の帯域幅が第１のサブキャリア間隔及び第１の帯域幅の部分集合であるため、この実施例は、端末の端末能力情報の報告に要するデータ量を低減させ、無線伝送リソースを節約する。
【０１４４】
なお、上記の各実施例において端末が実行するステップは、端末側の情報送信方法として実現し、上記の各実施例においてアクセスネットワークデバイスが実行するステップは、アクセスネットワークデバイス側の情報受信方法として実現することができる。
【０１４５】
なお、上記の各実施例は、任意に組み合わせてもよい。例えば、端末能力情報は、高速フーリエ変換ＦＦＴ、高速フーリエ逆変換ＩＦＦＴの並列計算能力情報、及びデータバッファーの大きさを含み、これは、当業者が上記の実施例に基づいて容易に行うものであり、ここで説明を省略する。
【０１４６】
以下は本発明の実施例における装置の実施例であり、装置の実施例に説明しない内容は、上記の方法の実施例の技術詳細を参照する。
【０１４７】
図１０は本発明の実施例における情報送信装置の模式図を示す。当該情報送信装置は、ソフトウェア、ハードウェア及び両者の組み合わせにより端末の全体又は一部を実現する。当該情報送信装置は、処理ユニット１０２０及び送信ユニット１０４０を含む。
【０１４８】
処理ユニット１０２０は、上記のステップ３０１、ステップ４０３、ステップ４０３ａ、ステップ６０３、ステップ６０３ａ、ステップ８０１及びステップ８０５に対応する任意の生成ステップを実行する。
【０１４９】
送信ユニット１０４０は、上記のステップ３０２、ステップ４０４、ステップ６０４、ステップ８０２及びステップ９０６に対する任意の送信ステップを実行する。
【０１５０】
選択可能で、当該情報送信装置は、更に、受信ユニット１０６０を含む。
【０１５１】
受信ユニット１０６０は、上記のステップ４０２、ステップ６０２、ステップ９０２及びステップ９０４対応する任意の受信ステップを実行する。
【０１５２】
図１１は本発明の実施例における情報受信装置の構成図を示す。当該情報受信装置は、ソフトウェア、ハードウェア及び両者の組み合わせによりアクセスネットワークデバイスの全体又は一部を実現する。当該情報受信装置は、受信ユニット１１２０を含む。
【０１５３】
受信ユニット１１２０は、上記のステップ３０３、ステップ４０５、ステップ６０５、ステップ８０３和ステップ８０７に対応する任意の受信ステップを実行する。
【０１５４】
選択可能で、当該情報受信装置は、送信ユニット１１４０及び処理ユニット１１６０をさらに含む。
【０１５５】
送信ユニット１１４０は、上記のステップ４０１、ステップ６０１、ステップ９０１及びステップ９０３に対応する任意の送信ステップを実行する。
【０１５６】
処理ユニット１１６０は、上記のステップ４０４、ステップ６０６及びステップ９０８に対応する任意のスケジューリングステップを実行する。
【０１５７】
図１２は本発明の実施例における送信デバイスの構成図を示し、当該送信デバイスは、プロセッサ２１、受信器２２、送信機２３、メモリ２４及びバス２５を含む。
【０１５８】
プロセッサ２１は、１つ以上の処理コアを含み、プロセッサ２１は、ソフトウェアプログラム及びモジュールを実行して、各種の機能及び情報処理を実現する。
【０１５９】
受信器２２と送信機２３とは、１つの通信部品として実現し、当該通信部品は、１つの通信チップであり、通信チップには受信モジュール、送信モジュール及び変調復調モジュール等が含まれ、情報を変調及び／又は復調して、無線信号の受信又は当該情報の送信を行う。
【０１６０】
メモリ２４はバス２５を介してプロセッサ２１に接続される。
【０１６１】
メモリ２４は、ソフトウェアプログラム及びモジュールに記憶される。
【０１６２】
メモリ２４は、少なくとも１つの機能を有するアプリケーションプログラムモジュール２６を含む。アプリケーションプログラムモジュール２６は、生成モジュール２６１、送信モジュール２６２及び受信モジュール２６３を含む。
【０１６３】
プロセッサ２１は、生成モジュール２６１を実行して上記の各方法の実施例の生成ステップの機能を実現し、送信モジュール２６２を実行して上記の各方法の実施例の送信ステップの機能を実現し、受信モジュール２６３を実行して上記の各方法の実施例の受信ステップの機能を実現する。
【０１６４】
なお、メモリ２４は、いかなるタイプの揮発/不揮発性記憶媒体又はその組み合わせで実現し、例えば、スタティック・ランダム・アクセス・メモリ（ＳＲＡＭ）、電気消去可能プログラマブル読取り専用メモリ（ＥＥＰＲＯＭ）、消去可能プログラム可能読取り専用メモリ（ＥＰＲＯＭ）、プログラム可能読出し専用メモリ（ＰＲＯＭ）、読取り専用メモリ（ＲＯＭ）、フラッシュメモリ、磁気または光学ディスクである。
【０１６５】
図１３は本発明の実施例における受信デバイスの構成図を示し、当該受信デバイスは、プロセッサ３１、受信器３２、送信機３３、メモリ３４及びバス３５を含む。
【０１６６】
プロセッサ３１は、１つ以上の処理コアを含み、ソフトウェアプログラム及びモジュールを実行して、各種の機能及び情報処理を実現する。
【０１６７】
受信器３２と送信機３３とは、１つの通信部品として実現し、当該通信部品は、１つの通信チップであり、通信チップには受信モジュール、送信モジュール及び変調復調モジュール等が含まれ、情報を変調及び／又は復調して、無線信号の受信又は当該情報の送信を行う
メモリ３４はバス３５を介してプロセッサ３１に接続される。
【０１６８】
メモリ３４は、ソフトウェアプログラム及びモジュールに記憶される。
【０１６９】
メモリ３４は、少なくとも１つの機能を有するアプリケーションプログラムモジュール３６を含む。アプリケーションプログラムモジュール３６は、受信モジュール３６１、送信モジュール３６２及びスケジューリングモジュール３６３を含む。
【０１７０】
プロセッサ３１は、受信モジュール３６１を実行して上記の各方法の実施例の生成ステップの機能を実現し、送信モジュール３６２を実行して上記の各方法の実施例の送信ステップの機能を実現し、スケジューリングモジュール３６３を実行して上記の各方法の実施例の受信ステップの機能を実現する。
【０１７１】
なお、メモリ３４は、いかなるタイプの揮発/不揮発性記憶媒体又はその組み合わせで実現し、例えば、スタティック・ランダム・アクセス・メモリ（ＳＲＡＭ）、電気消去可能プログラマブル読取り専用メモリ（ＥＥＰＲＯＭ）、消去可能プログラム可能読取り専用メモリ（ＥＰＲＯＭ）、プログラム可能読出し専用メモリ（ＰＲＯＭ）、読取り専用メモリ（ＲＯＭ）、フラッシュメモリ、磁気または光学ディスクである。
【０１７２】
当業者は、上記の１つ以上の例において、本発明の実施例に記載される機能がハードウェア、ソフトウェア、ファームウエア又はそれらの組合せで実現することができると理解する。ソフトウェアで実現する場合、これらの機能をコンピュータ読み取り可能な記憶媒体に記憶され、又は、コンピュータ読み取り可能な記憶媒体内の１つ以上の命令又はコードとして伝送する。コンピュータ読み取り可能な記憶媒体は、コンピュータ記憶媒体及び通信媒体を含み、その通信媒体は、ある場所から他の場所へコンピュータプログラムを伝送するための任意の媒体を含む。記憶媒体は、通用又は専用コンピュータが記憶する任意の媒体を含む。
【図１】
0006931060.tif 000004
【図２】
0006931060.tif 000005
【図３】
0006931060.tif 000006
【図４】
0006931060.tif 000007
【図５】
0006931060.tif 000008
【図６】
0006931060.tif 000009
【図７】
0006931060.tif 000010
【図８】
0006931060.tif 000011
【図９】
0006931060.tif 000012
【図１０】
0006931060.tif 000013
【図１１】
0006931060.tif 000014
【図１２】
0006931060.tif 000015
【図１３】
0006931060.tif 000016